(57)【要約】      （修正有）【課題】簡易な構成で実現でき、消費電力の増大を抑制できると共に発光箇所の自由度を向上させつつ、暗い環境下においても鑑賞性に優れた可動飾り付き時計を提供する。【解決手段】駆動可能に設けられた回転装飾体２０と、回転装飾体２０の背後に配置された背面部３０とを備えた可動飾り付き時計時計１であって、背面部３０は、光を蓄積して発光可能な背面蓄光部３１ａを有し、回転装飾体２０は、背面蓄光部３１ａに対する遮蔽状態が変化するように駆動される。【選択図】図４
2008014863.tif 000002
【特許請求の範囲】
【請求項１】
装飾体と、前記装飾体の背後に配置された背面部材とを備えた可動飾り付き時計であって、
前記背面部材は、光を蓄積して発光可能な背面用蓄光部を有し、
前記装飾体による前記背面用蓄光部の遮蔽状態が変化するように構成されている、
ことを特徴とする可動飾り付き時計。
【請求項２】
前記装飾体は、光を蓄積して発光可能な装飾体用蓄光部を有している、
ことを特徴とする請求項１に記載の可動飾り付き時計。
【請求項３】
前記装飾体は、該装飾体と前記背面部材との相対位置が変更されることによって前記背面用蓄光部が見え隠れする開口を有している、
ことを特徴とする請求項１又は２に記載の可動飾り付き時計。
【請求項４】
前記装飾体は、回転駆動される、
ことを特徴とする請求項１乃至３の何れかに記載の可動飾り付き時計。
【請求項５】
前記装飾体は、揺動される、
ことを特徴とする請求項１乃至３の何れかに記載の可動飾り付き時計。
【請求項６】
前記背面用蓄光部は、前記装飾体の回転駆動の中心位置を中心として放射状に伸びるように形成されている、
ことを特徴とする請求項４に記載の可動飾り付き時計。
【請求項７】
前記背面用蓄光部は、前記装飾体と前記背面部材との相対位置に応じて前記装飾体の外形と略重なるように形成されている、
ことを特徴とする請求項１乃至６の何れかに記載の可動飾り付き時計。
【発明の詳細な説明】
【技術分野】
【０００１】
本発明は、可動飾り付き時計に関する。
【背景技術】
【０００２】
従来から、所定時刻になると人形などの装飾体が駆動される可動飾り付き時計が知られている。例えば、特許文献１には、装飾体が回転駆動される可動飾り付き時計が開示されている。このような可動飾り付き時計は、その装飾体の動きの大きさや意外性などによって、鑑賞性に優れたものとなる。
【０００３】
【特許文献１】特開平９−１９５６９号公報
【発明の開示】
【発明が解決しようとする課題】
【０００４】
しかしながら、このような可動飾り付き時計は、優れた鑑賞性を有している場合であっても、暗い環境下ではその動きを視認できないという問題があった。
このような問題に対して、装飾体に発光ダイオードなどを設けることにより、暗い環境下でも鑑賞性に優れた可動飾り付き時計を提供することができる。
しかし、電力を必要とする発光体を設けた場合、消費電力が増大するため、壁掛け用の時計としては採用しにくいという問題があった。
また、電気的な接続を確保する必要があるので、複雑な動きをする部材に発光体を搭載することが困難であった。このため、発光部の配置の自由度が制限されていた。
また、このような発光部を設けることにより、電源供給するための機構を確保する必要があるので、時計の機構が複雑化するおそれがあった。
【０００５】
そこで本発明は、簡易な構成で実現でき、消費電力の増大を抑制できると共に発光箇所の自由度を向上させつつ、暗い環境下においても鑑賞性に優れた可動飾り付き時計を提供することを目的とする。
【課題を解決するための手段】
【０００６】
上記目的は、装飾体と、前記装飾体の背後に配置された背面部材とを備えた可動飾り付き時計であって、前記背面部材は、光を蓄積して発光可能な背面用蓄光部を有し、前記装飾体による前記背面用蓄光部の遮蔽状態が変化するように構成されている、可動飾り付き時計によって達成できる。
この構成により、装飾体による前記背面用蓄光部の遮蔽状態が変化するので、暗い環境下では、背面用蓄光部の発光領域が変化して見える。従って、簡単な構成で暗い環境下においても鑑賞性に優れた可動飾り付き時計を提供できる。
また、背面用蓄光部は、光を蓄積して発光可能であるため、消費電力の増大を抑制できる。
また、背面用蓄光部への電気的な接続を確保する必要がない。従って、既存の可動飾り付き時計に対して容易に適用できる。
【０００７】
また、上記構成において、前記装飾体は、光を蓄積して発光可能な装飾体用蓄光部を有している、構成を採用できる。
この構成により、装飾体にも蓄光部が設けられているため、背面用蓄光部の発光領域が変化しているように見せつつ、装飾体用蓄光部も発光しながら移動する。従って、より優れた鑑賞性を有する可動飾り付き時計を提供できる。
【０００８】
また、上記構成において、前記装飾体は、該装飾体と前記背面部材との相対位置が変更されることによって前記背面用蓄光部が見え隠れする開口を有している、構成を採用できる。
この構成により、装飾体と背面部材との相対位置が変更されることによって背面用蓄光部の発光領域がより変化して見える。従って、鑑賞性により優れた可動飾り付き時計時計を提供できる。
【０００９】
また、上記構成において、前記装飾体は、回転駆動される、構成を採用できる。
この構成によっても、背面用蓄光部の発光領域が、より変化して見える。
【００１０】
また、上記構成において、前記装飾体は、揺動される、構成を採用できる。
この構成によっても、背面用蓄光部の発光領域が、より変化して見える。
【００１１】
また、上記構成において、前記背面用蓄光部は、前記装飾体の回転駆動の中心位置を中心として放射状に伸びるように形成されている、構成を採用できる。
この構成により、装飾体の回転駆動によって、背面用蓄光部の発光領域がより変化して見える。
【００１２】
また、上記構成において、前記背面用蓄光部は、前記装飾体と前記背面部材との相対位置に応じて前記装飾体の外形と略重なるように形成されている、構成を採用できる。
この構成により、装飾体と背面部材との相対位置に応じて背面用蓄光部の略全ての領域が遮蔽されるので、その位置からの装飾体と背面部材との相対位置の変更によって背面用蓄光部の発光領域がより変化して見える。
【発明の効果】
【００１３】
本発明によれば、簡易な構成で実現でき、消費電力の増大を抑制できると共に発光箇所の自由度を向上させつつ、暗い環境下においても鑑賞性に優れた可動飾り付き時計を提供できる。
【発明を実施するための最良の形態】
【００１４】
以下、本発明の実施の形態に係る可動飾り付き時計について図面を参照して説明する。
【実施例１】
【００１５】
図１は、実施例１に係る可動飾り付き時計の正面図である。
可動飾り付き時計１は、その上部に配置された文字盤２、指針部３により現在時刻を表示する。指針部３は、秒針、分針、時針から構成され、文字盤２に印刷された所定の時刻を指示す。指針部３は、文字盤２の背面に設けられたムーブメント（不図示）により駆動される。
また、可動飾り付き時計１は、その下部に可動飾り機構１０が設けられている。可動飾り機構１０は、常時駆動されるように設けられている。
【００１６】
次に、可動飾り機構１０について詳細に説明する。
図２は、可動飾り機構１０の説明図であり、図２（ａ）は、可動飾り機構１０の正面図であり、図２（ｂ）は、装飾図の側面図である。図３は、可動飾り機構１０の横断面図であり、図３（ａ）は、図２（ａ）のＡ−Ａ断面図、図３（ｂ）は、図２（ａ）のＢ−Ｂ断面図である。
可動飾り機構１０は、回転装飾体２０、背面部３０などから構成される。
回転装飾体２０は、背面部３０の前面に回転可能に配置されている。詳細には、図３に示すように、背面部３０の背後に回転装飾体２０を駆動させるための駆動機構４０が設けられている。この駆動機構４０は、軸５０を介して回転装飾体２０を回転駆動させる。尚、図３において、駆動機構４０の詳細な機構についての図示は省略してある。
【００１７】
図４は、可動飾り機構１０の分解図である。図４（ａ）は、回転装飾体２０の正面図、図４（ｂ）は、背面部３０の正面図である。尚、図４（ａ）については、同一の部分が複数ある場合には、一部についてのみ符号をつけ、その他については省略してある。
回転装飾体２０は、円盤状に形成されている。詳細には、外輪郭を形成する外輪部２１、外輪部２１より内側に花びら状に形成された内輪部２２、中心に配置された中心輪部２３、中心輪部２３から放射状に等間隔をおいて延伸して形成され内輪部２２及び外輪部２１と架け橋する桟部２４などから構成される。
【００１８】
外輪部２１には、円周状に等間隔をおいて外輪蓄光部２１ａが８箇所設けられている。外輪蓄光部２１ａは、ひし形状の台座と宝石のように多面状にカットされ、ひし形上の台座の上に配置された半球状の部材とにより構成されている。半球状の部材により覆われていない台座部分には蓄光塗料が塗布されており、光を蓄積して暗い環境下で発光する。
【００１９】
内輪部２２にも、桟部２４と重なる位置に等間隔をおいて内輪蓄光部２２ａが８箇所設けられている。内輪蓄光部２２ａは、星型の部材に蓄光塗料が塗布されている。
【００２０】
尚、蓄光塗料とは、太陽光や蛍光灯などの光の刺激を受けてエネルギーを吸収し、吸収したエネルギーを可視光に変換して、刺激停止後も光を徐々に放出しながら、ある時間発光し続けるものでありで、これを永く反復する機能を持つものである。蓄光塗料の組成に特に制約をうけるわけではない。
【００２１】
外輪部２１、内輪部２２、中心輪部２３、桟部２４により、回転装飾体２０内に開口部２０Ｈが複数形成される。開口部２０Ｈから、以下に述べる背面蓄光部３１ａが見え隠れする。
【００２２】
背面部３０は、前面（視認者側）に向けて凸状に多面で構成された凸面３１を有している。また、背面部３０は、その中心に軸５０が貫通される軸孔３３を有している。
背面部３０の凸面３１には、背面蓄光部３１ａが設けられている。背面蓄光部３１ａは、軸孔３３を囲むように８角形状に形成された中心蓄光部３３ａと、中心蓄光部３３ａの各頂点から放射状に延伸して形成された延伸蓄光部３２ａとにより構成されている。また、この背面蓄光部３１ａは、明るい場所では目立たないように、背面部３０の配色に近い色合いで形成されている。
【００２３】
次に、暗い環境下での可動飾り機構１０の発光状態の変化について説明する。
図５は、暗い環境下での可動飾り機構１０の発光状態の変化についての説明図である。尚、図５には、各蓄光部による発光状態をより明瞭に示すために、一部についてのみ符号をつけ、その他については省略してある。尚、図５は、回転装飾体２０が、反時計方向に回転する様子を連続的に示している。
図５（ａ）は、桟部２４が背面蓄光部３１ａと重なるように位置付けられた場合の、発光状態を示している。
延伸蓄光部３２ａは、桟部２４により遮蔽される。また、中心蓄光部３３ａは、中心輪部２３の径よりも僅かに大きく形成されている。従って、中心輪部２３によって、わずかに中心蓄光部３３ａの外周部の発光が視認できる程度に遮蔽される。
また、外輪蓄光部２１ａ及び内輪蓄光部２２ａは、中心蓄光部３３ａの外周で発光する。
【００２４】
図５（ｂ）は、図５（ａ）に示した状態から、回転装飾体２０が反時計方向に僅かに回転した場合の、発光状態を示している。
回転装飾体２０が反時計方向に僅かに回転することにより、回転装飾体２０と背面部３０との相対的な位置関係が変更され、桟部２４により遮蔽されていた延伸蓄光部３２ａが開口部２０Ｈから僅かに露出される。これにより、延伸蓄光部３２ａと中心蓄光部３３ａの外周部とが一体となって露出される。
また、外輪蓄光部２１ａ及び内輪蓄光部２２ａは、延伸蓄光部３２ａの延伸方向に対して反時計方向に僅かにずれた位置に位置付けられる。
【００２５】
図５（ｃ）は、図５（ｂ）に示した状態から、回転装飾体２０が反時計方向に僅かに回転した場合の、発光状態を示している。
更に回転装飾体２０が回転することにより、桟部２４は、延伸蓄光部３２ａから離れ、延伸蓄光部３２ａの幅方向の領域の大部分が開口部２０Ｈから露出される。これにより、図５（ｂ）に示した状態よりも、延伸蓄光部３２ａの幅が太くなるように視認される。
【００２６】
次に、図５（ｄ）に示すように、更に回転装飾体２０が反時計方向に回転すると、外輪蓄光部２１ａ及び内輪蓄光部２２ａは、延伸蓄光部３２ａにより挟み込まれる位置に位置付けられる。また、回転装飾体２０の形状により、延伸蓄光部３２ａの一部の先端が欠けるように遮蔽される。
【００２７】
次に、図５（ｅ）は、更に回転装飾体２０が反時計方向に回転した状態を示しており、図５（ｆ）は、更に回転装飾体２０が反時計方向に回転し、再び桟部２４により、延伸蓄光部３２ａが遮蔽され始める状態を示している。
図５（ｆ）に示した状態から更に回転装飾体２０が反時計方向に回転すると、再度図５（ａ）に示した状態に移行する。このように、回転装飾体２０は、その背面蓄光部３１ａに対する遮蔽位置が次々と移動し、背面蓄光部３１ａに対する遮蔽状態が変化するように駆動される（移動する）。
【００２８】
従って、回転装飾体２０の回転により、暗い環境下では背面蓄光部３１ａの発光領域が拡大又は縮小して見える。また、回転装飾体２０の回転速度によっては、背面蓄光部３１ａが脈動するかのように連続的に発光領域が変化しているように見える。従って、可動飾り付き時計１は、暗い環境下においても鑑賞性に優れている。
【００２９】
また、背面蓄光部３１ａ、外輪蓄光部２１ａ及び内輪蓄光部２２ａは、光を蓄積して発光可能であるため、発光ダイオードなどを採用した場合と比較し消費電力の増大を抑制できる。また、背面用蓄光部３１ａ、外輪蓄光部２１ａ及び内輪蓄光部２２ａへの電気的な接続を確保する必要がないので、発光箇所の自由度が向上し、既存の可動飾り付き時計に対して容易に適用できる。また、機構を複雑化することなく、簡単な構成で実現できる。また製造コストの増大を抑制できる。
【００３０】
回転装飾体２０は、背面蓄光部３１ａが見え隠れする開口部２０Ｈを有しているので、回転装飾体２０の回転によって、背面用蓄光部３１ｂの発光領域がより変化して見える。特に、回転という簡単な動作によっても、変化に富んだ面白みのあるように発光領域を変化させることができる。
【００３１】
また、背面蓄光部３１ａは、回転装飾体２０の回転駆動の中心位置を中心として放射状に伸びるように形成されているので、回転装飾体２０の回転によって、回転装飾体２０と背面部３０との相対的な位置関係が変更され、背面蓄光部３１ａの発光領域がより変化して見える。特に、回転装飾体２０は、開口部２０Ｈを有し、その開口部２０Ｈから延伸蓄光部３２ａが見え隠れするので、発光領域がより変化して見える。
【００３２】
また、図５（ａ）に示したように、回転装飾体２０が所定位置に位置付けられると、延伸蓄光部３２ａは、桟部２４により遮蔽される。このように、延伸蓄光部３２ａは、所定の位置に位置付けられた回転装飾体２０の外形と略重なるように形成されているので、回転装飾体２０の位置に応じて延伸蓄光部３２ａの略全ての領域が遮蔽することができ、その位置からの回転装飾体２０の駆動によって延伸蓄光部３２ａの発光領域がより変化して見える。
【００３３】
また、背面蓄光部３１ａの発光領域が変化しているように見せつつ、背面蓄光部３１ａの外周を、回転装飾体２０に設けられた外輪蓄光部２１ａ及び内輪蓄光部２２ａが公転するので、鑑賞性が更に向上する。
【００３４】
以上のように、回転装飾体２０の駆動が単純なものであっても、蓄光部を採用することにより、明るい環境下で視認できる可動飾りの動作とは全く異なり、暗い環境下でも優れた鑑賞性を発揮する。
【実施例２】
【００３５】
次に、実施例２に係る可動飾り付き時計について説明する。
図６は、実施例２に係る可動飾り付き時計の説明図である。
図６（ａ）は、実施例２に係る可動飾り付き時計の、可動飾り機構１０ｂの機構を示した図であり、文字盤などのその他の部分については省略してある。尚、図６（ａ）には、同一の部分が複数ある場合には、一部についてのみ符号をつけ、その他については省略してある。図６（ｂ）は、図６（ａ）のＡ−Ａ断面図である。
可動飾り機構１０ｂは、支持棒１１ｂ、揺動装飾体２０ｂ、などから構成される。支持棒１１ｂは、上端部を支点として左右に揺動可能に形成されており、下端部に揺動装飾体２０ｂが連結されている。従って、支持棒１１ｂが左右に揺動することにより、揺動装飾体２０ｂについても同様に左右に揺動する。
【００３６】
揺動装飾体２０ｂは、楯状に形成されている。詳細には、外輪郭を形成すると共に内側の形状を形成する桟部２４ｂ、揺動装飾体２０ｂの略中心に配置された装飾石２９ｂなどから構成される。
揺動装飾体２０ｂの外側には、揺動装飾体２０ｂの頂点上に外側蓄光部２１ｂが6箇所設けられている。揺動装飾体２０ｂの内側には、装飾石２９ｂの周囲に内側蓄光部２２ｂが４箇所設けられ、装飾石２９ｂよりも上部には中心蓄光部２３ｂが１箇所設けられている。外側蓄光部２１ｂ、内側蓄光部２２ｂ及び中心蓄光部２３ｂは、所定の規則性を持って配置されている。尚、各蓄光部には蓄光塗料が塗布されている。
また、桟部２４ｂにより、開口部２０ＨＢが複数形成される。開口部２０ＨＢから、以下に述べる背面蓄光部３１ｂが見え隠れする。
【００３７】
図６（ｃ）は、実施例２に係る可動飾り付き時計に設けられた背面部に形成された背面蓄光部３１ｂについて示している。尚、背面部については省略してある。
背面蓄光部３１ｂは、桟部２４ｂによって画定される揺動装飾体２０ｂの外輪郭と内側の形状と略重なるように形成されている。
【００３８】
次に、暗い環境下での可動飾り機構１０ｂの発光状態の変化について説明する。
図７は、暗い環境下での可動飾り機構１０の発光状態の変化についての説明図である。尚、図７には、各蓄光部による発光状態をより明瞭に示すために、一部についてのみ符号をつけ、その他については省略してある。
図７（ａ）は、揺動装飾体２０ｂが略中心位置に位置付けられた場合の、発光状態を示している。
この場合、桟部２４ｂによって、背面蓄光部３１ｂの略全ての領域を遮蔽するので、前面からは背面蓄光部３１ｂを視認することはできない。従って、外側蓄光部２１ｂ、内側蓄光部２２ｂ及び中心蓄光部２３ｂが視認される。
【００３９】
図７（ｂ）は、図７（ａ）に示した状態から、揺動装飾体２０ｂが左方向に僅かに移動した場合の、発光状態を示している。
揺動装飾体２０ｂが中心位置から左方向に僅かに移動することにより、揺動装飾体２０ｂと背面部との相対的な位置関係が変更され、桟部２４ｂにより遮蔽されていた背面蓄光部３１ｂが開口部２０ＨＢから露出される。前述したように、揺動装飾体２０ｂが中心位置に位置付けられているときには、桟部２４ｂによって、背面蓄光部３１ｂの略全ての領域が遮蔽されるが、揺動装飾体２０ｂが僅かに移動することにより、背面蓄光部３１ｂの露出される領域が急激に増える。
【００４０】
図７（ｃ）は、図７（ｂ）に示した状態から、揺動装飾体２０ｂが左方向に僅かに移動した場合の、発光状態を示している。
更に揺動装飾体２０ｂが左方向に移動することにより、背面蓄光部３１ｂの半分程度の領域を揺動装飾体２０ｂが遮蔽する状態となる。
【００４１】
図７（ｄ）は、図７（ｃ）に示した状態から、揺動装飾体２０ｂが左方向に僅かに移動した場合の、発光状態を示している。
更に揺動装飾体２０ｂが左方向に移動することにより、背面蓄光部３１ｂの半分以上の領域が露出され、背面蓄光部３１ｂの全体の形状（模様）を把握できる程度にまで露出される。
【００４２】
次に揺動装飾体２０ｂは、図７（ｄ）の状態から、右方向に移動して図７（ｃ）、（ｂ）、（ａ）と移動し、図７（ｅ）に示した状態に移行する。その後は、図７（ｆ）、（ｇ）と移動し、再び図７（ｆ）、（ｅ）、（ａ）に示した状態に移行する。このように、揺動装飾体２０ｂは、背面蓄光部３１ｂは揺動される。
【００４３】
このように、揺動装飾体２０ｂは、その背面蓄光部３１ｂに対する遮蔽位置が次々と移動し、背面蓄光部３１ｂに対する遮蔽状態が変化するように揺動される。
【００４４】
また、背面蓄光部３１ｂは、揺動装飾体２０ｂが揺動範囲の中心位置に位置付けられたときに、揺動装飾体２０ｂの外形と略重なるように形成されている。即ち、背面蓄光部３１ｂは、揺動装飾体２０ｂと背面部との相対位置に応じて揺動装飾体２０ｂの外形と略重なるように形成されている。このため、揺動装飾体２０ｂと背面部との相対位置に応じて背面用蓄光部３１ｂの略全ての領域が遮蔽されるので、図７（ａ）に示した状態から、図７（ｂ）又は（ｅ）へと揺動装飾体２０ｂが移動することによって、背面蓄光部３１ｂの遮蔽状態が大幅に変わる。従って、揺動装飾体２０ｂの僅かな移動量で、背面蓄光部３１ｂの発光領域が大幅に変化して見える。従って、実施例２に係る可動飾り付き時計についても、暗い環境下において鑑賞性に優れている。
【００４５】
また、揺動装飾体２０ｂが一定の周期で揺動されるので、揺動装飾体２０ｂが中心位置に位置付けられるタイミングについても、一定周期で規則的に行われる。従って、背面蓄光部３１ｂの発光領域が大幅に変化するタイミングも、一定周期毎に訪れる。従って、暗い環境下においてより鑑賞性に優れているといえる。
【００４６】
また、揺動装飾体２０ｂは、背面蓄光部３１ｂが見え隠れする開口部２０ＨＢを有しているので、揺動装飾体２０ｂの揺動によって背面用蓄光部３１ｂの発光領域がより変化して見える。特に、揺動という簡単な動作によっても、変化に富んだ面白みのあるように発光領域を変化させることができる。
【００４７】
以上本発明の好ましい一実施形態について詳述したが、本発明は係る特定の実施形態に限定されるものではなく、特許請求の範囲に記載された本発明の要旨の範囲内において、種々の変形・変更が可能である。
例えば、輝度の異なる蓄光部を複数設けてもよいし、発光色の異なる蓄光部を複設けてもよい。
また、本発明は、自転に限らず、公転や、公転しつつ自転するような装飾体にも採用でき、上下又は左右に分割されて開閉駆動されるような複雑な動きをするものにも採用できる。また、装飾体としての人形が回転することにより、背面に備えられた蓄光部によるシルエットが変化するようにしてもよい。
また、装飾体の形状は、上記実施例のような円盤状に限られず、例えば、長方形状に形成され、格子状、網状又はハニカム状に開口部が複数形成されたものであってもよい。
また、本実施例において背面蓄光部３１ａは、明るい場所では目立たないように背面部３０の配色に近い色合いで形成されているが、異なる色合いで形成されていても良い。
また、蓄光部を有する背面板の前面を、細い棒状の部材が移動するような場合であってもよい。
また、固定された装飾体に対して蓄光部を有する背面板が駆動されるような構成であってもよい。例えば、上記実施例１において、回転装飾体２０を固定し、背面部３０を回転させるように構成してもよい。
また、装飾体と、蓄光塗料が塗布された背面板との双方が駆動することによって、両者の相対的な位置関係が変更され、これにより装飾体による蓄光部の遮蔽状態が変化するような構成であってもよい。
【図面の簡単な説明】
【００４８】
【図１】実施例１に係る可動飾り付き時計の正面図である。
【図２】可動飾り機構の説明図である。
【図３】可動飾り機構の横断面図である。
【図４】可動飾り機構の分解図である。
【図５】暗い環境下での可動飾り機構の発光状態の変化についての説明図である。
【図６】実施例２に係る可動飾り付き時計の説明図である。
【図７】暗い環境下での実施例２に係る可動飾り付き時計の可動飾り機構の発光状態の変化についての説明図である。
【符号の説明】
【００４９】
１                        可動飾り付き時計
２                        文字盤
３                        指針部
１０、１０ｂ              可動飾り機構
１１ｂ                    支持棒
２０                      回転装飾体
２０ｂ                    揺動装飾体
２０Ｈ、２０ＨＢ          開口部
２１                      外輪部
２１ａ                    外輪蓄光部
２１ｂ                    外側蓄光部
２２                      内輪部
２２ａ                    内輪蓄光部
２２ｂ                    内側蓄光部
２３                      中心輪部
２３ｂ                    中心蓄光部
２４、２４ｂ              桟部
２９ｂ                    装飾石
３０                      背面部
３１ａ、３１ｂ            背面蓄光部
３２ａ                    延伸蓄光部
３３                      軸孔
３３ａ                    中心蓄光部
４０                      駆動機構
５０                      軸
【図１】
2008014863.tif 000003
【図２】
2008014863.tif 000004
【図３】
2008014863.tif 000005
【図４】
2008014863.tif 000006
【図５】
2008014863.tif 000007
【図６】
2008014863.tif 000008
【図７】
2008014863.tif 000009